(57)【要約】【課題】出し入れされる収容物が扉の内壁面で操作部材に引っ掛かることを手間やコストをかけることなく防止すると共に、当該容器に関する情報を扉の外壁面に表示したいという要望に応えることが可能な容器を提供すること。【解決手段】容器１は、扉６０の両端部に隣接する第２短辺側側壁部４０において、被係合部４６を備える。扉６０は、両端部に配設され被係合部４６への係合により開口部４０Ａを閉状態にし、係合解除により開口部４０Ａを開閉可能状態にする扉係合部６８と、扉係合部６８と被係合部４６の係合及び係合解除を操作する操作部材９０と、扉６０の外側に設けられた情報表示面７４と、情報表示面７４と一体成形され、扉６０の内側に設けられた誤操作防止面とを備える。情報表示面７４及び誤操作防止面は、扉６０の両端部領域において、扉係合部６８の操作部材９０側の端部を挟んだ状態で対向配置される。【選択図】図４
2019064621.tif 000002
【特許請求の範囲】
【請求項１】
底壁部と、
前記底壁部の縁辺から上方へ延び出す側壁部と、
前記側壁部の少なくとも一部に開口されている開口部を開閉可能に閉鎖する扉とを備える容器であって、
前記側壁部のうち前記扉の端部に隣接する側壁部には、
被係合手段を備え、
前記扉には、
前記端部に配設され、前記被係合手段への係合により前記開口部を閉じた状態に維持し、該被係合手段の係合解除により該開口部を開閉可能な状態にする扉係合手段と、
前記扉係合手段の前記被係合手段への係合及び係合解除の操作を前記扉係合手段に伝達する操作部材と、
前記扉の外壁面に設けられた情報表示面と、
前記情報表示面と一体成形され、前記扉の内壁面に設けられた誤操作防止面とを備え、
前記情報表示面及び前記誤操作防止面は、前記扉の端部領域において、少なくとも前記扉係合手段の前記操作部材側の端部を挟んだ状態で対向して配置されてなることを特徴とする容器。
【請求項２】
前記情報表示面は、
前記操作部材又は前記扉係合手段に対向し前記扉の上下方向に延在するように形成された中間情報表示面と、
前記中間情報表示面に連結され前記操作部材より上側に位置し前記扉の幅方向に延在するように形成された上側情報表示面、及び／又は該中間情報表示面に連結され該操作部材より下側に位置し該扉の幅方向に延在するように形成された下側情報表示面とを備えることを特徴とする請求項１に記載の容器。
【請求項３】
前記情報表示面は、
前記操作部材より上側に位置する上側情報表示面と、
前記操作部材より下側に位置する下側情報表示面と、
前記上側情報表示面と前記下側情報表示面を連結する中間情報表示面とを備えることを特徴とする請求項１に記載の容器。
【発明の詳細な説明】
【技術分野】
【０００１】
本発明は、側壁部の開口部を扉で開閉可能に閉鎖する容器に関するものである。
【背景技術】
【０００２】
従来より、側壁部の開口部を扉で開閉可能に閉鎖する容器に関し、種々の技術が提案されている。
【０００３】
例えば、下記特許文献１には、開閉扉の開閉作業を簡単に行うことができるように構成された運搬用容器が記載されている。運搬用容器は、底壁と、その底壁の周縁に沿って立設された側壁とを備えた容器本体から構成され、前記側壁の壁面に、開口部と、その開口部を開閉可能に閉鎖する開閉扉とを設け、前記開閉扉の一端部には該開閉扉を容器本体の外方に回動させるための扉回動手段を設けるとともに、同開閉扉の他端部内側面には、両端部に扉係合突起が設けられるとともに扉操作部が設けられた扉係合部材を添設し、前記扉操作部を前記開閉扉の内側に位置させるとともに、前記開閉扉に露出孔を設けて前記露出孔内から前記扉操作部を前記開閉扉の外側に露出させるように構成し、前記開口部の周縁に位置する側壁には前記扉係合突起と係合して開閉扉の容器本体外方への回動を規制する扉係合部を設け、前記扉係合部材を上方、下方又は横方向にスライドさせることにより、前記扉係合突起と扉係合部との係合状態を解除するように構成したことを特徴とするものである。
【先行技術文献】
【特許文献】
【０００４】
【特許文献１】特許第４２４３５０２号公報
【発明の概要】
【発明が解決しようとする課題】
【０００５】
しかしながら、開閉扉の内側に位置する扉操作部は、容器本体の内側で露出している。そのため、運搬用容器において収容物を出し入れする際には、容器本体の内側で収容物が扉操作部に引っ掛かることがある。そのような場合には、扉操作部の不意な操作が行われて、開閉扉が容器本体の外方に回動して開くので、運搬用容器から収容物がこぼれてしまう虞があった。
【０００６】
そのような課題には、容器本体の内側において、扉操作部の露出部分を蓋等で覆う対応が考えられるが、蓋等を取り付けると、手間やコストがかかってしまう。
【０００７】
更に、開閉扉の外面において、運搬用容器に関する情報（例えば、運搬用容器の所有者名、運搬用容器の収容物の名称等）を表示したいという要望があった。
【０００８】
そこで、本発明は、上述した点を鑑みてなされたものであり、出し入れされる収容物が扉の内壁面で操作部材に引っ掛かることを手間やコストをかけることなく防止すると共に、当該容器に関する情報を扉の外壁面に表示したいという要望に応えることが可能な容器を提供することを課題とする。
【課題を解決するための手段】
【０００９】
この課題を解決するためになされた請求項１に係る発明は、底壁部と、底壁部の縁辺から上方へ延び出す側壁部と、側壁部の少なくとも一部に開口されている開口部を開閉可能に閉鎖する扉とを備える容器であって、側壁部のうち扉の端部に隣接する側壁部には、被係合手段を備え、扉には、端部に配設され、被係合手段への係合により開口部を閉じた状態に維持し、被係合手段の係合解除により開口部を開閉可能な状態にする扉係合手段と、扉係合手段の被係合手段への係合及び係合解除の操作を扉係合手段に伝達する操作部材と、扉の外壁面に設けられた情報表示面と、情報表示面と一体成形され、扉の内壁面に設けられた誤操作防止面とを備え、情報表示面及び誤操作防止面は、扉の端部領域において、少なくとも扉係合手段の操作部材側の端部を挟んだ状態で対向して配置されてなることを特徴とする。
【００１０】
情報表示面とは、例えば、ラベルの貼付、印刷、刻印、又は筆記等が行われることによって、容器に関する情報が表示される面をいう。
【００１１】
請求項２に係る発明は、請求項１に記載の容器であって、情報表示面は、操作部材又は扉係合手段に対向し扉の上下方向に延在するように形成された中間情報表示面と、中間情報表示面に連結され操作部材より上側に位置し扉の幅方向に延在するように形成された上側情報表示面、及び／又は中間情報表示面に連結され操作部材より下側に位置し扉の幅方向に延在するように形成された下側情報表示面とを備えることを特徴とする。
【００１２】
請求項３に係る発明は、請求項１に記載の容器であって、情報表示面は、操作部材より上側に位置する上側情報表示面と、操作部材より下側に位置する下側情報表示面と、上側情報表示面と下側情報表示面を連結する中間情報表示面とを備えることを特徴とする。
【発明の効果】
【００１３】
請求項１に係る発明の容器は、扉の外壁面に設けられた情報表示面において容器に関する情報を表示することによって、容器に関する情報を扉の外壁面に表示したいという要望に応えることが可能である。
【００１４】
同時に、請求項１に係る発明の容器は、扉の内壁面に設けられた誤操作防止面によって、容器に出し入れされる収容物が扉の内壁面側で操作部材に引っ掛かることを防止することが可能である。
【００１５】
更に、請求項１に係る発明の容器は、誤操作防止面が扉の情報表示面と一体成形されていることから、手間やコストをかけることなく、容器に出し入れされる収容物が扉の内壁面側で操作部材に引っ掛かることを防止することが可能である。
【００１６】
請求項２に係る発明の容器において、情報表示面は、「中間情報表示面及び上側情報表示面」、「中間情報表示面、上側情報表示面及び下側情報表示面」、又は「中間情報表示面及び下側情報表示面」のいずれかで構成されており、操作部材から操作部材の上側までの範囲、操作部材の上側から下側までの範囲、又は操作部材から操作部材の下側までの範囲に及んでいる。従って、請求項２に係る発明の容器は、比較的広い範囲の情報表示面において、容器に関する情報を表示することが可能である。
【００１７】
請求項３に係る発明の容器では、上側情報表示面、下側情報表示面、及び中間情報表示面で構成される情報表示面は、操作部材の上側から下側までの範囲に及んでいる。従って、請求項３に係る発明の容器は、比較的広い範囲の情報表示面において、容器に関する情報を表示することが可能である。
【００１８】
更に、請求項２，３に係る発明の容器において、容器に関する情報をラベルの貼付によって情報表示面に表示する際は、操作部材の上側と下側の間に位置する中間情報表示面にラベルが貼付される。よって、請求項２，３に係る発明の容器は、操作部材にラベルが貼り付くことを防ぐことが可能である。
【図面の簡単な説明】
【００１９】
【図１】本発明の実施形態の容器が表された斜視図である。
【図２】同容器が図１の紙面奥側から表された斜視図である。
【図３】同容器が折り畳まれた状態で表された斜視図である。
【図４】同容器が扉を取り外した状態で表された斜視図である。
【図５】同容器の扉から取り外された操作部材と扉とが表された斜視図であって、扉の外側から表された図である。
【図６】同容器の扉が操作部材を取り付けた状態で表された斜視図であって、扉の外側から表された図である。
【図７】同容器の扉が操作部材を取り付けた状態で表された斜視図であって、扉の内側から表された図である。
【図８】同容器が表された斜視図であって、第２短辺側側壁部の開口部が開放された状態で表された図である。
【図９】第２短辺側側壁部の開口部が扉で閉鎖された状態にある、同容器が表された正面図であって、扉の外側から表された図である。
【図１０】同容器の第２短辺側側壁部と扉と底壁部とを図９の線Ａ−Ａで切断した断面が表された図であって、第２短辺側側壁部の開口部が扉で閉鎖された状態で表された図である。
【図１１】同容器の第２短辺側側壁部と扉と底壁部とを図９の線Ｂ−Ｂで切断した断面が表された図であって、第２短辺側側壁部の開口部が扉で閉鎖された状態で表された図である。
【図１２】同容器の第２短辺側側壁部と扉と底壁部とを図９の線Ｃ−Ｃで切断した断面が表された図であって、第２短辺側側壁部の開口部が扉で閉鎖された状態で表された図である。
【発明を実施するための形態】
【００２０】
以下、本発明に係る容器について、具体化した本実施形態に基づき、図面を参照しつつ説明する。
【００２１】
（１）容器の概要
図１及び図２に表されたように、本実施形態の容器１は、底壁部１０、長辺側側壁部２０，２０、短辺側側壁部３０，４０、及び扉６０等を備えている。底壁部１０、長辺側側壁部２０，２０、短辺側側壁部３０，４０、及び扉６０は、ポリプロピレン等の樹脂を材料として金型成形されたものである。
【００２２】
尚、図１及び図２において、符号Ｄ１の方向は、容器１の上下方向を示している。符号Ｄ２の方向は、容器１の奥行き方向（つまり、長辺側側壁部２０，２０の幅方向）を示している。符号Ｄ３の方向は、容器１の幅方向（つまり、短辺側側壁部３０，４０や扉６０の幅方向）を示している。各方向Ｄ１，Ｄ２，Ｄ３は、互いに直交する関係にある。これらの点は、後述する図３乃至図１２においても、同様である。
【００２３】
底壁部１０は、略長方形状をなし、相対する一対の長辺１２と、相対する一対の短辺１４とを有している。底壁部１０の各長辺１２上には、公知の回動機構を介して、略長方形状の長辺側側壁部２０，２０が設けられている。これによって、長辺側側壁部２０，２０は、底壁部１０に対して回動可能に設けられている。底壁部１０の各短辺１４上には、公知の回動機構を介して、短辺側側壁部３０，４０が設けられている。これによって、短辺側側壁部３０，４０は、底壁部１０に対して回動可能に設けられている。
【００２４】
長辺側側壁部２０，２０と短辺側側壁部３０，４０は、公知の係合機構によって、互いに係合可能である。従って、長辺側側壁部２０，２０と短辺側側壁部３０，４０が係合状態のとき、長辺側側壁部２０，２０は、底壁部１０の各長辺１２から上方向へ延出した状態になり、短辺側側壁部３０，４０は、底壁部１０の各短辺１４から上方向へ延出した状態になる。
【００２５】
このようにして、容器１は、長辺側側壁部２０，２０と短辺側側壁部３０，４０が互いに係合すると、容器１の上面が開口された直方体状になる（組み立て状態）。但し、長辺側側壁部２０，２０と短辺側側壁部３０，４０は、互いの係合状態が解除されると、底壁部１０に対する回動によって、図３に表されたように、底壁部１０に積み重ねられる（折り畳み状態）。つまり、容器１は、いわゆる折畳み容器である。以下の説明では、明記しない限り、容器１が直方体状にあるとして説明する。
【００２６】
尚、各長辺側側壁部２０は、同一の部材である。これに対して、短辺側側壁部３０，４０は、それらの輪郭が略長方形状で同じであるが、扉６０の有無等の相違点がある。そのため、以下では、短辺側側壁部３０，４０について、区別して説明する場合には、第１短辺側側壁部３０と第２短辺側側壁部４０とに書き分ける。
【００２７】
また、容器１は、短辺１４，１４の上下方向Ｄ１の中間位置において、容器手持ち部１０Ａ，１０Ａ，３０Ａ，６０Ａを備えている。容器手持ち部１０Ａ，１０Ａ，３０Ａ，６０Ａには、作業者が容器１を持ち上げや持ち運び等を行う際に、作業者の指等が掛けられる。容器手持ち部１０Ａ，１０Ａは、底壁部１０の外壁面に設けられている。容器手持ち部３０Ａは、第１短辺側側壁部３０の外壁面に設けられている。容器手持ち部６０Ａは、扉６０の外壁面に設けられている。
【００２８】
（２）扉の回動機構
扉６０は、図４乃至図７に表されたような構成を有しており、第２短辺側側壁部４０に対して回動可能に取り付けられる。第２短辺側側壁部４０は、開口部４０Ａ、軸ピン保持溝４０Ｂ、第１側壁位置決め凹部４２、第２側壁位置決め凹部４４、第３側壁位置決め凹部４５、被係合部４６、第１軸受部４８、及び第２軸受部５０等を有している。開口部４０Ａは、その上方が開放された略長方形の形状であり、第２短辺側側壁部４０の上辺から下方に渡って成形されている。軸ピン保持溝４０Ｂ、第１軸受部４８、及び第２軸受部５０については、後述する。
【００２９】
第１側壁位置決め凹部４２は、開口部４０Ａの下辺に相当する第２短辺側側壁部４０の端面において、複数設けられている。第２側壁位置決め凹部４４及び第３側壁位置決め凹部４５は、開口部４０Ａの両側辺に相当する第２短辺側側壁部４０幅方向Ｄ３の両内端面において、設けられている。その両内端面において、第２側壁位置決め凹部４４と第３側壁位置決め凹部４５の間には、被係合部４６が設けられている。
【００３０】
扉６０は、第１扉位置決め凸部６２、第２扉位置決め凸部６４、第３扉位置決め凸部６５、及び扉凹部６６等を有している。以下の説明では、明記しない限り、扉６０が第２短辺側側壁部４０の開口部４０Ａを閉じた状態にあるとして説明する。第１扉位置決め凸部６２は、扉６０の下端面において、複数設けられている。第２扉位置決め凸部６４及び第３扉位置決め凸部６５は、扉６０幅方向Ｄ３の両側端部において、設けられている。その両側端部において、第２扉位置決め凸部６４と第３扉位置決め凸部６５の間には、扉凹部６６が設けられている。
【００３１】
各扉凹部６６内には、扉係合部６８，６８が突出している。各扉係合部６８は、凹部６８Ａが設けられており、上下方向Ｄ１に移動可能である。その移動機構については、後述する。
【００３２】
更に、第２短辺側側壁部４０には、開口部４０Ａの下辺に相当する端面において、第１軸受部４８と複数の第２軸受部５０とが設けられている。第２短辺側側壁部４０には、その幅方向Ｄ３における各第２軸受部５０の外方側において、軸ピン保持溝４０Ｂが第２軸受部５０と隣接して成形されている。これに対して、扉６０には、その下端面において、ヒンジ部７０と複数の軸受部７２とが設けられている。
【００３３】
第２短辺側側壁部４０の第１軸受部４８には、扉６０のヒンジ部７０の軸部が軸装される。第２短辺側側壁部４０の各第２軸受部５０には、扉６０の各軸受部７２が嵌装される。これによって、第２短辺側側壁部４０の各第２軸受部５０の軸孔と扉６０の各軸受部７２の軸孔は、第２短辺側側壁部４０及び扉６０の幅方向Ｄ３で連通した状態になり、不図示の軸ピンが軸装される。
【００３４】
軸ピンの軸装には、第２短辺側側壁部４０の軸ピン保持溝４０Ｂが利用される。具体的には、第２短辺側側壁部４０において、軸ピン保持溝４０Ｂに仮置させた軸ピンを、例えば、自動組立機等によって、第２軸受部５０の側に押進させる。これによって、軸ピンは、第２短辺側側壁部４０の軸ピン保持溝４０Ｂに案内されながら、第２短辺側側壁部４０の各第２軸受部５０の軸孔及び扉６０の各軸受部７２の軸孔に装入される。
【００３５】
このようにして、扉６０は、第２短辺側側壁部４０に回動可能に組み付けられる。従って、図８に表されたように、容器１では、各長辺側側壁部２０の幅方向Ｄ２において、扉６０が第１短辺側側壁部３０の反対側である外方（つまり、容器１の外方）へ向かって回転すると、第２短辺側側壁部４０の開口部４０Ａが開放された状態になる。そのような状態において、扉６０が逆方向に回転すると、図１に表されたように、扉６０によって第２短辺側側壁部４０の開口部４０Ａが閉鎖された状態になる。
【００３６】
尚、扉６０によって第２短辺側側壁部４０の開口部４０Ａが閉鎖されると、第２短辺側側壁部４０の各被係合部４６が、扉６０の各扉凹部６６に内在する。更に、第２短辺側側壁部４０の各第１側壁位置決め凹部４２には、扉６０の各第１扉位置決め凸部６２が嵌装される。第２短辺側側壁部４０の各第２側壁位置決め凹部４４には、扉６０の各第２扉位置決め凸部６４が嵌装される。第２短辺側側壁部４０の各第３側壁位置決め凹部４５には、扉６０の各第３扉位置決め凸部６５が嵌装される。これらの嵌装によって、第２短辺側側壁部４０の開口部４０Ａに対して、扉６０の位置決めがなされる。
【００３７】
（３）情報表示面と誤操作防止面
扉６０は、その外側において、扉６０の外壁面で構成された情報表示面７４を有している。情報表示面７４では、ラベルの貼付、印刷、刻印、又は筆記等が行われる。これらによって、情報表示面７４においては、容器１に関する情報（例えば、容器１の所有者名、容器１の収容物の名称等）を表示することが可能である。
【００３８】
情報表示面７４は、扉摘み部７６、複数の外側窓７８、及び複数の段差部８０等を有している。扉摘み部７６は、作業者が扉６０の開閉等を行う際に、作業者の指等が掛けられるものである。扉摘み部７６は、容器手持ち部６０Ａの上側に設けられている。
【００３９】
複数の外側窓７８は、扉摘み部７６と扉６０の上端面との間において、扉６０の幅方向Ｄ３に沿って列設されている。複数の段差部８０は、扉６０の幅方向Ｄ３における外側窓７８の外方側において、扉６０の幅方向Ｄ３に沿って列設されている。これによって、複数の外側窓７８は、扉６０の幅方向Ｄ３の中央領域に配置されている。複数の段差部８０は、扉６０の幅方向Ｄ３の両端部領域に配置されている。
【００４０】
扉６０には、その両側端部に設けられた扉凹部６６，６６を扉６０の幅方向Ｄ３に沿って貫通する細長空間部８２が設けられている。細長空間部８２は、複数の外側窓７８と連通し、複数の段差部８０に隣接している。細長空間部８２には、後述する長尺状の操作部材９０が介挿されている。
【００４１】
また、扉６０は、その内側において、扉６０の内壁面で構成された誤操作防止面８４を有している。誤操作防止面８４は、扉６０が金型成形される際に、情報表示面７４と一体成形される。誤操作防止面８４は、扉６０の幅方向Ｄ３の中央領域において、複数の内側窓８６等を有している。複数の内側窓８６は、扉６０の上端面の下側において、扉６０の幅方向Ｄ３に沿って列設され、細長空間部８２と連通している。
【００４２】
情報表示面７４の各外側窓７８と誤操作防止面８４の各内側窓８６は、扉６０の幅方向Ｄ３とは直交する方向Ｄ２から視ると、互い違いにあり、重ならないように成形されている。つまり、情報表示面７４の各外側窓７８と誤操作防止面８４の各内側窓８６は、扉６０の幅方向Ｄ３の中央領域において、細長空間部８２内の操作部材９０を挟んだ状態で交互に配置されている。
【００４３】
誤操作防止面８４の各内側窓８６は、上下方向Ｄ１に細長いスリット形状である。従って、誤操作防止面８４の各内側窓８６においては、情報表示面７４の各外側窓７８と比べると、細長空間部８２内の操作部材９０が露出する部分が極めて少ない。そのため、容器１に出し入れされる収容物が、誤操作防止面８４の各内側窓８６を介して、細長空間部８２内の操作部材９０に当たることは希である。
【００４４】
（４）操作部材と扉係合部
操作部材９０は、扉６０において、細長空間部８２に介挿されると、情報表示面７４と誤操作防止面８４に挟まれた状態にある。操作部材９０は、操作摘み部９２、及び一対の付勢部材９４，９４等を有している。操作摘み部９２は、操作部材９０の側面に凹設されており、操作部材９０が扉６０の細長空間部８２に介挿されると、扉６０の幅方向Ｄ３の中央に位置する外側窓７８から現れる。
【００４５】
一対の付勢部材９４，９４は、板状のバネであって、操作摘み部９２の両側において、操作部材９０の下面に設けられている。各付勢部材９４は、操作部材９０が扉６０の細長空間部８２に介挿されると、細長空間部８２の底面８２Ａに当接することによって、操作部材９０を細長空間部８２の底面８２Ａから離間する方向に付勢している。
【００４６】
従って、作業者は、作業者の指等を情報表示面７４の外側窓７８を介して操作摘み部９２に掛けて、操作部材９０を各付勢部材９４の付勢力に抗しながら扉摘み部７６の側に移動させると、操作部材９０を細長空間部８２の底面８２Ａに近接させることができる。その後、作業者は、作業者の指等を操作摘み部９２から離すと、各付勢部材９４の付勢力によって、操作部材９０を細長空間部８２の底面８２Ａから離間させることができる。
【００４７】
操作部材９０の長尺方向の両端部には、上述した扉係合部６８，６８が突設されている。これによって、各扉係合部６８は、操作部材９０が扉６０の細長空間部８２に介挿されると、扉６０の幅方向Ｄ３において、操作部材９０から第２短辺側側壁部４０へ向かう側にある扉６０の端部領域に位置する。
【００４８】
そのため、各扉係合部６８の一部は、扉６０において、情報表示面７４と誤操作防止面８４の間に位置する。つまり、情報表示面７４と誤操作防止面８４は、扉６０の両端部領域において、各扉係合部６８の操作部材９０側の端部を挟んだ状態で対向して配置されている。
【００４９】
更に、各扉係合部６８は、操作部材９０が扉６０の細長空間部８２に介挿されると、扉６０において、各扉凹部６６内で突出している。各扉係合部６８は、操作部材９０が扉６０の細長空間部８２の底面８２Ａに対して離間又は近接すると、その動作に伴って、各扉凹部６６内を移動する。
【００５０】
従って、第２短辺側側壁部４０の開口部４０Ａが扉６０で閉鎖されている場合には、扉６０幅方向Ｄ３の外方で扉６０と隣接する第２短辺側側壁部４０の各被係合部４６に対して、各扉係合部６８が操作部材９０の各付勢部材９４の付勢力によって係合する。これによって、扉６０の状態（つまり、第２短辺側側壁部４０の開口部４０Ａが閉鎖された状態）がロックされる。
【００５１】
これに対して、操作部材９０が各付勢部材９４の付勢力に抗して扉６０の細長空間部８２の底面８２Ａに近接すると、各扉係合部６８が第２短辺側側壁部４０の各被係合部４６から外れ、上記係合が解除された状態になる。このような状態は、第２短辺側側壁部４０の開口部４０Ａが開閉可能な状態であり、扉６０の幅方向Ｄ３とは直交する方向Ｄ２において、第１短辺側側壁部３０の反対側である外方（つまり、容器１の外方）へ向かって、扉６０を回転させることによって、第２短辺側側壁部４０の開口部４０Ａを開放させることが可能である。
【００５２】
よって、作業者は、操作部材９０を操作することによって、扉６０の各扉係合部６８と第２短辺側側壁部４０の各被係合部４６を係合させたり、その係合を解除させたりすることが可能である。
【００５３】
尚、操作部材９０は、その操作摘み部９２の下側に設けられた突条が、扉６０の細長空間部８２を形作る壁面に設けられた複数の案内溝に案内されることによって、扉６０の細長空間部８２にスムーズに介挿させることが可能である。
【００５４】
（５）まとめ
以上詳細に説明した通り、本実施形態の容器１は、扉６０の外壁面に設けられた情報表示面７４において、容器１に関する情報をラベルの貼付、印刷、刻印、又は筆記等で表示することによって、容器１に関する情報を扉６０の外壁面に表示したいという要望に応えることが可能である。
【００５５】
同時に、本実施形態の容器１は、扉６０の内壁面に設けられた誤操作防止面８４によって、容器１に出し入れされる収容物が扉６０の内壁面側で操作部材９０に引っ掛かることを防止することが可能である。
【００５６】
更に、本実施形態の容器１では、誤操作防止面８４は、扉６０の情報表示面７４と一体成形されている。よって、本実施形態の容器１は、扉６０の内壁面側で操作部材９０を蓋等で覆うような技術と比べると、手間やコストがかからない。
【００５７】
本実施形態の容器１では、扉６０の中央領域において、情報表示面７４及び誤操作防止面８４が、扉６０の幅方向Ｄ３とは直交する方向Ｄ２（つまり、扉６０の厚み方向）から視て、交互に位置している。そのため、扉６０を金型のスライド抜きで一体成形する際には、情報表示面７４及び誤操作防止面８４の間において細長空間部８２を形作るために、扉６０の幅方向Ｄ３に抜かれるスライド金型の長さを、扉６０の両側端面から情報表示面７４の外側窓７８又は誤操作防止面８４の内側窓８６までの最短距離にすることができる。よって、金型の大型化やスライド金型の破損等を防ぐことが可能である。
【００５８】
ちなみに、本実施形態において、長辺１２は、「縁辺」の一例である。短辺１４は、「縁辺」の一例である。長辺側側壁部２０，２０と短辺側側壁部３０，４０は、「側壁部」の一例である。被係合部４６は、「被係合手段」の一例である。扉係合部６８は、「扉係合手段」の一例である。
【００５９】
（６）情報表示面の構成
情報表示面７４は、図９に表されたように、上側情報表示面７４Ａ、下側情報表示面７４Ｂ、及び中間情報表示面７４Ｃで構成されている。上側情報表示面７４Ａ、下側情報表示面７４Ｂ、及び中間情報表示面７４Ｃは、以下のように区別される。
【００６０】
上側情報表示面７４Ａは、情報表示面７４のうち、各外側窓７８及び各段差部８０の上側の領域に相当する。つまり、上側情報表示面７４Ａは、操作部材９０より上側に位置する。下側情報表示面７４Ｂは、情報表示面７４のうち、各外側窓７８及び各段差部８０の下側の領域に相当する。つまり、下側情報表示面７４Ｂは、操作部材９０より下側に位置する。中間情報表示面７４Ｃは、情報表示面７４のうち、各外側窓７８又は各段差部８０の間にある領域である。つまり、中間情報表示面７４Ｃは、上側情報表示面７４Ａと下側情報表示面７４Ｂを連結する領域である。従って、中間情報表示面７４Ｃは、操作部材９０と対向する位置にあるが、扉係合部６８と対向する位置にあってもよい。
【００６１】
言い換えれば、上側情報表示面７４Ａは、中間情報表示面７４Ｃに連結され、操作部材９０より上側に位置し、扉６０の幅方向Ｄ３に延在するように形成されている。下側情報表示面７４Ｂは、中間情報表示面７４Ｃに連結され、操作部材９０より下側に位置し、扉６０の幅方向Ｄ３に延在するように形成されている。中間情報表示面７４Ｃは、操作部材９０と対向し、扉６０の上下方向Ｄ１に延在するように形成されている。
【００６２】
以上より、本実施形態の容器１では、上側情報表示面７４Ａ、下側情報表示面７４Ｂ、及び中間情報表示面７４Ｃで構成される情報表示面７４が、操作部材９０の上側から下側までの範囲に及んでいる。従って、本実施形態の容器１は、比較的広い範囲の情報表示面７４において、容器１に関する情報を表示することが可能である。
【００６３】
更に、本実施形態の容器１において、容器１に関する情報をラベルの貼付によって情報表示面７４に表示する際は、操作部材９０の上側と下側の間に位置する中間情報表示面７４Ｃにラベルが貼付される。よって、本実施形態の容器１は、操作部材９０にラベルが貼り付くことを防ぐことが可能である。また、送り状等が印刷された不正開封防止ラベルは、操作部材９０の操作摘み部９２が覆われるように貼付されてもよい。そのようにすれば、扉６０を開けて収容物を取り出す際の開封確認とすることができる。
【００６４】
尚、図１０乃至図１２は、上側情報表示面７４Ａ、下側情報表示面７４Ｂ、及び中間情報表示面７４Ｃについて、扉６０（内の操作部材９０）及び第２短辺側側壁部４０（の誤操作防止面８４）等の構成要素との位置関係を断面で表している。
【００６５】
尚、本実施形態では、「前記情報表示面及び前記誤操作防止面は、前記扉の端部領域より中央寄りの該扉の中央領域において、前記操作部材を挟んだ状態で交互に配置されてなることを特徴とする容器」が具体化されたとも言える。
【００６６】
そのような容器では、扉の中央領域において、情報表示面及び誤操作防止面が扉の厚み方向から視て交互に位置している。そのため、扉を金型のスライド抜きで一体成形する際には、情報表示面及び誤操作防止面の間において扉の幅方向に抜かれるスライド金型を短くすることができるので、金型の大型化やスライド金型の破損等を防ぐことが可能である。
【００６７】
（７）変更例
尚、本発明は上記実施形態に限定されるものでなく、その趣旨を逸脱しない範囲で様々な変更が可能である。
【００６８】
例えば、本実施形態の容器１は、いわゆる折畳み容器であったが、折り畳みが不可能な容器であってもよい。
【００６９】
本実施形態の容器１は、開口部４０Ａを閉塞可能な蓋を備えてもよい。
【００７０】
扉６０は、ヒンジ部７０及び軸受部７２等によって、第２短辺側側壁部４０に開閉可能に支持されているが、スライド又は着脱等で開閉可能に支持されてもよい。そのような扉６０の開閉支持部は、本実施形態のように、扉６０の下端面に設けられてもよいが、扉６０の両側端面のうち、一方の側端面に設けられてもよい。但し、扉６０の一方の側端面に開閉支持部が設けられた場合には、扉６０の他方の側端面から扉係合部６８を突出させる。
【００７１】
扉６０は、第２短辺側側壁部４０に設けられているが、長辺側側壁部２０に設けられてもよいし、第１短辺側側壁部３０に設けられてもよい。つまり、扉６０は、各長辺側側壁部２０、第１短辺側側壁部３０、及び第２短辺側側壁部４０のうち、少なくとも一つの側壁部に設けられていればよい。
【００７２】
各扉係合部６８は、操作部材９０の長尺方向の両端部に突設されているが、操作部材９０とは別体に構成されてもよい。そのような場合には、各扉係合部６８は、操作部材９０の長尺方向の両端部と、扉６０幅方向Ｄ３の外方で扉６０と隣接する第２短辺側側壁部４０の各被係合部４６との間において、扉６０幅方向Ｄ３でスライド可能となるように扉６０に付設される。これによって、操作部材９０の操作動作は、各扉係合部６８に伝達される。
【００７３】
各被係合部４６は、第２短辺側側壁部４０に設けられているが、第２短辺側側壁部４０とは別体に構成されてもよい。そのような場合には、各被係合部４６は、第２短辺側側壁部４０に付設される。
【００７４】
開口部４０Ａは、第２短辺側側壁部４０に成形されているが、第２短辺側側壁部４０が底壁部１０に対して回動することによって、長辺側側壁部２０，２０の二面等で形作られるものであってもよい。そのような場合は、第２短辺側側壁部４０は、上述した扉６０と同様に機能するように構成される。更に、各被係合部４６は、長辺側側壁部２０，２０に設けられる。
【００７５】
情報表示面７４は、上側情報表示面７４Ａ、下側情報表示面７４Ｂ、及び中間情報表示面７４Ｃで構成されているが、「中間情報表示面７４Ｃ及び上側情報表示面７４Ａ」、又は「中間情報表示面７４Ｃ及び下側情報表示面７４Ｂ」で構成されてもよい。そのような場合であっても、情報表示面７４は、操作部材９０から操作部材９０の上側までの範囲、又は操作部材９０から操作部材９０の下側までの範囲に及んでいるので、比較的広い範囲の情報表示面７４において、容器１に関する情報を表示することが可能である。
【符号の説明】
【００７６】
１    容器
１０    底壁部
１２    長辺
１４    短辺
２０    長辺側側壁部
３０    第１短辺側側壁部
４０    第２短辺側側壁部
４０Ａ  開口部
４６    被係合部
６０    扉
６８    扉係合部
７４    情報表示面
７４Ａ  上側情報表示面
７４Ｂ  下側情報表示面
７４Ｃ  中間情報表示面
９０    操作部材
【図１】
2019064621.tif 000003
【図２】
2019064621.tif 000004
【図３】
2019064621.tif 000005
【図４】
2019064621.tif 000006
【図５】
2019064621.tif 000007
【図６】
2019064621.tif 000008
【図７】
2019064621.tif 000009
【図８】
2019064621.tif 000010
【図９】
2019064621.tif 000011
【図１０】
2019064621.tif 000012
【図１１】
2019064621.tif 000013
【図１２】
2019064621.tif 000014